(57)【要約】【課題】イオンを送風するための送風機の動作音による耳障りな騒音を抑制できる照明装置を提供する。【解決手段】壁スイッチ２により動作する照明装置１であって、第１の電源・制御ブロック１１０と、第１の電源・制御ブロック１１０から供給される電力によって発光する照明用光源１２０と、第２の電源・制御ブロック２１０と、第２の電源・制御ブロック２１０から供給される電力によって動作するイオン生成ブロック２２０と、イオン生成ブロック２２０で生成されたイオンを送風する送風機２４０とを備え、送風機２４０は、壁スイッチ２を１・２スイッチ操作することで駆動状態が制御される。【選択図】図２
2018055949.tif 000002
【特許請求の範囲】
【請求項１】
壁スイッチにより動作する照明装置であって、
第１の電源・制御ブロックと、
前記第１の電源・制御ブロックから供給される電力によって発光する照明用光源と、
第２の電源・制御ブロックと、
前記第２の電源・制御ブロックから供給される電力によって動作するイオン生成ブロックと、
前記イオン生成ブロックで生成されたイオンを送風する送風機とを備え、
前記送風機は、前記壁スイッチを１・２スイッチ操作することで駆動状態が制御される
照明装置。
【請求項２】
前記壁スイッチを１・２スイッチ操作することで前記送風機のオンオフが制御される
請求項１に記載の照明装置。
【請求項３】
前記第２の電源・制御ブロックの電力供給源は、前記第１の電源・制御ブロックである
請求項１又は２に記載の照明装置。
【請求項４】
前記第２の電源・制御ブロックから前記第１の電源・制御ブロックに電力を供給する際に、ディレー時間が設定されている
請求項１〜３のいずれか１項に記載の照明装置。
【請求項５】
前記イオン生成ブロック又は前記送風機は、前記１・２スイッチ操作における前記壁スイッチを押すタイミング又は前記壁スイッチを押す回数に応じて制御される
請求項１〜４のいずれか１項に記載の照明装置。
【発明の詳細な説明】
【技術分野】
【０００１】
本発明は、照明装置に関し、特に、イオン発生機能を備える照明装置に関する。
【背景技術】
【０００２】
従来より、イオンを放出することができる照明装置が知られている。例えば、特許文献１には、空気中に浮遊する、細菌やカビ菌、有害物質などを分解するために、プラズマイオン及びマイナスイオンを放出することができる照明装置が開示されている。
【先行技術文献】
【特許文献】
【０００３】
【特許文献１】特開２０１０−２９５５２号公報
【発明の概要】
【発明が解決しようとする課題】
【０００４】
イオンを放出することができる照明装置は、イオンを生成するイオン生成ブロック（イオン生成器）と、イオン生成ブロックで生成したイオンを送風するための送風機とを備える。イオンによって所望の効果を得るには一定の時間を要する。例えば、イオンによって所望の脱臭効果を得るには数時間程度のイオン放出が必要になり、送風機を長時間駆動させることになる。このため、送風機の動作音が長時間発生することになり、耳障りな騒音として感じる場合がある。
【０００５】
本発明は、このような課題を解決するためになされたものであり、イオンを送風するための送風機の動作音による耳障りな騒音を抑制できる照明装置を提供することを目的とする。
【課題を解決するための手段】
【０００６】
上記目的を達成するために、本発明に係る照明装置の一態様は、壁スイッチにより動作する照明装置であって、第１の電源・制御ブロックと、前記第１の電源・制御ブロックから供給される電力によって発光する照明用光源と、第２の電源・制御ブロックと、前記第２の電源・制御ブロックから供給される電力によって動作するイオン生成ブロックと、前記イオン生成ブロックで生成されたイオンを送風する送風機とを備え、前記送風機は、前記壁スイッチを１・２スイッチ操作することで駆動状態が制御される。
【発明の効果】
【０００７】
イオンを送風するための送風機の動作音による耳障りな騒音を抑制できる。
【図面の簡単な説明】
【０００８】
【図１】実施の形態に係る照明装置を天井に設置したときの状態を示す斜視図である。
【図２】実施の形態に係る照明装置の構成を示すブロック図である。
【図３】比較例の照明装置の動作の一例を説明するためのタイミングチャートである。
【図４】実施の形態に係る照明装置の動作の一例を説明するためのタイミングチャートである。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、各図において縮尺等は必ずしも一致していない。各図において、実質的に同一の構成に対しては同一の符号を付しており、重複する説明は省略又は簡略化する。
【００１１】
（実施の形態）
実施の形態に係る照明装置１について、図１及び図２を用いて説明する。図１は、実施の形態に係る照明装置１を天井に設置したときの状態を示す斜視図である。図２は、実施の形態に係る照明装置１の構成を示すブロック図である。
【００１２】
照明装置１は、例えば、住宅や店舗等の建物の天井又は壁等の造営材に配設される照明器具であり、室内等の空間領域を明るくするために照明光を照射する。本実施の形態における照明装置１は、図１に示すように、天井に設置される。この場合、照明装置１は、天井に設けられた引っ掛けシーリングに接続固定されていてもよいし、天井面に直付け固定されていてもよいし、天井に形成された貫通孔に埋込配設されていてもよい。
【００１３】
照明装置１は、例えば、玄関、シューズクローク、ウォーキングクローゼット、トイレ又は階段の踊り場等の天井又は壁面に設置されるが、これに限るものではない。後述するように、特に、照明装置１は、脱臭・消臭及び除菌する機能を有するので、トイレ等の臭いが気になる箇所に設置されるとよい。
【００１４】
図１に示すように、照明装置１は、筐体１０と、筐体１０の前方に設けられた透光カバー２０とを備える。筐体１０は、例えば扁平円筒形状である。筐体１０の内部には照明用光源１２０が配置されており、照明用光源１２０から照射される光は透光カバー２０を透過して照明光として放出される。透光カバー２０は、例えば光を散乱拡散させる拡散カバーである。この場合、透光カバー２０から放出される照明光は拡散光である。
【００１５】
また、本実施の形態における照明装置１は、イオン発生機能を備える照明器具であり、イオンを放出する。筐体１０の側周面には、周方向に沿って延在する複数のスリット１１が形成されており、発生したイオンは、スリット１１から照明装置１の外部に放出される。
【００１６】
照明装置１から放出されるイオンは、例えば、ナノイー（登録商標）と呼ばれるマイナスイオンである。ナノイーは、ナノメータサイズ（例えば直径約５〜２０ｎｍ）の微粒子水で包まれたマイナスイオンであり、ＯＨラジカルを豊富に含む。ナノイーは、空気中や繊維の奥に入り込んだアレルゲン（アレル物質）の活動を抑制する作用を有するとともに、脱臭・消臭作用、除菌作用及び抗ウイルス作用を有する。したがって、ナノイーが室内に拡散することにより、例えば室内の空間領域又はカーテン等を脱臭・消臭したり、室内に浮遊又は付着しているアレルゲンやウイルス等を不活化したり、室内に浮遊又は付着しているカビや細菌等を除菌したりする。特に、ナノイーは、反応性が高く、且つ、臭い成分に作用して無臭成分に分解する能力を持つ。さらに、ナノイーは、髪や肌に優しい弱酸性であり、人にとっても有用である。
【００１７】
なお、ナノイーは、マイナスイオン単独で存在する場合よりも空気中に長時間（マイナスイオンの約６倍の寿命で）存在することが可能であり、且つ、ナノメータサイズと非常に小さいため、照明装置１が設置される空間領域全体に万遍無く拡散し且つ長時間浮遊することができる。
【００１８】
このように、照明装置１は、空間領域を照らすために照明光を照射するだけではなく、その空間領域にイオンを放出する。照明装置１において、照明用光源１２０を発光させるのに必要な電力は、イオンを発生させるのに必要な電力よりも大きい。つまり、本実施の形態では、照明装置１のメイン機能は照明光を照射することであり、イオンの放出は補助機能である。一例として、照明用光源１２０を発光させるのに必要な電力は１０Ｗで、イオンを発生させるのに必要な電力は５Ｗである。なお、メイン機能と補助機能を入れ替えて、照明装置１のメイン機能をイオンを放出することにし、補助機能を照明光を照射することになるように構成してもよい。
【００１９】
図２に示すように、照明装置１は、照明光を照射する照明ユニット１００と、イオンを放出するイオン放出ユニット２００と、端子台３００とを備える。照明ユニット１００、イオン放出ユニット２００及び端子台３００は、図１に示される筐体１０内に収納されている。
【００２０】
照明ユニット１００は、照明装置１が設置された空間領域に照明光を照射させる装置であり、第１の電源・制御ブロック１１０と、照明用光源１２０と、照明センサブロック１３０とを有する。
【００２１】
第１の電源・制御ブロック１１０は、照明用の電源・制御ブロックであり、照明用光源１２０を発光させるための電力を生成する電源機能と、照明用光源１２０の照明態様（発光状態）を制御する制御機能とを有する。
【００２２】
第１の電源・制御ブロック１１０は、例えば、端子台３００から供給される交流電力を直流電力に変換し、この直流電力が照明用光源１２０に供給されることで照明用光源１２０が発光する。第１の電源・制御ブロック１１０は、Ｈ端子（第１端子）、Ｎ端子（第２端子）及びＬＯＤ端子（第３端子）を有している。Ｈ端子及びＮ端子は、端子台３００に接続されており、端子台３００から第１の電源・制御ブロック１１０に供給される交流電力はＨ端子及びＮ端子に入力される。ＬＯＤ端子は、第２の電源・制御ブロック２１０に接続されている。
【００２３】
また、第１の電源・制御ブロック１１０は、照明用光源１２０の調光制御や調色制御を行ったり照明用光源１２０の点滅・フラッシュ点灯制御を行ったりすることで照明用光源１２０の照明態様を変更する。
【００２４】
複数の回路素子には、照明用光源１２０を発光させるための電力を生成する電源回路を構成する電源回路素子と、照明用光源１２０の照明態様を制御する制御回路を構成する制御回路素子が含まれる。
【００２５】
照明用光源１２０は、ねじ又は接着剤等の固定部材によって筐体１０内の所定の位置に固定される。照明用光源１２０は、照明装置１の光源部となる光源モジュールであり、照明装置１が空間領域を照らすための照明光として、例えば白色光を発する。本実施の形態において、照明用光源１２０は、ＬＥＤ（Ｌｉｇｈｔ  Ｅｍｉｔｔｉｎｇ  Ｄｉｏｄｅ）を光源とするＬＥＤモジュールである。一例として、照明用光源１２０は、ＣＯＢ（Ｃｈｉｐ  Ｏｎ  Ｂｏａｒｄ）タイプであり、基板と、基板に実装された複数のＬＥＤチップと、ＬＥＤチップを封止する封止部材とを有する。
【００２６】
基板としては、セラミックス基板、樹脂基板又はメタルベース基板等が用いられる。ＬＥＤチップは、例えば、単色の可視光を発するベアチップである。ＬＥＤチップとしては、通電されれば青色光を発する青色ＬＥＤチップである。封止部材は、例えば透光性樹脂である。本実施の形態における封止部材は、ＬＥＤチップからの光を波長変換する波長変換材として蛍光体を含んでいる。封止部材は、例えば、シリコーン樹脂に蛍光体を分散させた蛍光体含有樹脂である。蛍光体粒子としては、ＬＥＤチップが青色ＬＥＤチップである場合、白色光を得るために、例えばＹＡＧ系の黄色蛍光体を用いることができる。本実施の形態において、封止部材は、全てのＬＥＤチップを一括封止するように円形状に形成されているが、複数のＬＥＤチップを列ごとにライン状に封止してもよいし、各ＬＥＤチップを１つずつ個別に封止してもよい。
【００２７】
この場合、照明用光源１２０では、第１の電源・制御ブロック１１０から供給される直流電力によって青色ＬＥＤチップが発光する。これにより、青色ＬＥＤチップの青色光の一部を黄色蛍光体が吸収して励起されて黄色蛍光体から黄色光が放出される。そして、この黄色光と黄色蛍光体に吸収されなかった青色光とが混ざって白色光となり、照明用光源１２０からは白色光が放出される。
【００２８】
なお、照明用光源１２０は、調光可能な構造及び調色可能な構造を有していてもよい。また、第１の電源・制御ブロック１１０は、実装基板と、実装基板に実装された複数の回路素子によって構成されている。
【００２９】
照明センサブロック１３０は、例えば、人感センサ及び照度センサを有するセンサユニットである。人感センサは、照明装置１の周囲における人の存在の有無を検知するためのセンサである。例えば、人感センサによって人の存在を示す検知信号（人感信号）が検知されると、照明用光源１２０が発光する。照度センサは、照明装置１の周囲の光照度を検知するためのセンサである。例えば、照度センサによって照度を示す検知信号（照度信号）が検知され、その検知信号による照度値が所定の照度値よりも低い場合、照明用光源１２０が発光する。
【００３０】
イオン放出ユニット２００は、照明装置１が設置された空間領域にイオンを放出させる機能を有する装置である。イオン放出ユニット２００からイオンを一定時間放出させることによって、空間領域を脱臭・消臭したり、アレルゲンやウイルス等を不活化したり、空間領域内のカビや細菌等を除菌したりできる。なお、住宅の２畳程度の空間領域で９０％の脱臭効果を得るには、ナノイーを約８時間程度放出させるとよい。
【００３１】
イオン放出ユニット２００は、第２の電源・制御ブロック２１０と、イオン生成ブロック２２０と、表示用光源２３０と、送風機２４０とを有する。
【００３２】
第２の電源・制御ブロック２１０は、イオン生成ブロック２２０及び送風機２４０を動作させるための電力を生成するとともに表示用光源２３０を発光させるための電力を生成する電源機能を有するとともに、表示用光源２３０の動作表示態様（発光状態）を制御する制御機能を有する。
【００３３】
第２の電源・制御ブロック２１０の電力供給源は、第１の電源・制御ブロック１１０である。つまり、第２の電源・制御ブロック２１０には、第１の電源・制御ブロック１１０から交流電力が供給される。具体的には、第２の電源・制御ブロック２１０に供給される交流電力は、第１の電源・制御ブロック１１０のＬＯＤ端子及び端子台３００の一方の端子から供給される。本実施の形態では、第２の電源・制御ブロック２１０から第１の電源・制御ブロック１１０に電力を供給する際に、ディレー時間が設定されている。
【００３４】
また、第１の電源・制御ブロック１１０から第２の電源・制御ブロック２１０への電力供給は、トライアックを介して行われる。つまり、第１の電源・制御ブロック１１０から第２の電源・制御ブロック２１０への電力供給経路にトライアックが接続されている。このトライアックは、例えば、第１の電源・制御ブロック１１０又は第２の電源・制御ブロック２１０に内蔵されており、壁スイッチ２による１・２スイッチ操作によってオン／オフすることができる。
【００３５】
ここで、１・２スイッチ操作（ワン・ツースイッチ機能）とは、壁スイッチ２を短時間で２回連続押しする操作のことである。例えば、壁スイッチ２が１回目に押下されてから所定時間以内（例えば２秒間）に２回目の壁スイッチ２が押下された場合に、１・２スイッチ操作があったとみなされる。
【００３６】
第２の電源・制御ブロック２１０は、イオン生成ブロック２２０及び送風機２４０を動作させるために、イオン生成ブロック２２０及び送風機２４０の各々に所定の電力を供給する。また、第２の電源・制御ブロック２１０は、表示用光源２３０を発光させるために表示用光源２３０に所定の電力を供給する。具体的には、第２の電源・制御ブロック２１０は、端子台３００の一方の端子及び第１の電源・制御ブロック１１０のＬＯＤ端子から供給される交流電力を直流電力に変換し、この直流電力が表示用光源２３０に供給されることで表示用光源２３０が発光する。
【００３７】
また、第２の電源・制御ブロック２１０は、イオン生成ブロック２２０及び送風機２４０を制御する。例えば、第２の電源・制御ブロック２１０は、イオン生成ブロック２２０及び送風機２４０の運転開始及び運転停止（つまり、イオンの放出時間）の制御を行ったり、イオン放出ユニット２００から放出されるイオンの量の制御を行ったりする。
【００３８】
第２の電源・制御ブロック２１０は、実装基板と、実装基板に実装された複数の回路素子によって構成されている。
【００３９】
具体的には、第２の電源・制御ブロック２１０を構成する複数の回路素子には、イオン生成ブロック２２０及び送風機２４０を駆動させるための駆動回路を構成する駆動回路素子が含まれる。この駆動回路素子には、イオン生成ブロック２２０及び送風機２４０を動作させるための電力を生成する電源回路を構成する電源回路素子と、イオン生成ブロック２２０及び送風機２４０を制御するための制御回路を構成する制御回路素子とが含まれる。なお、イオン生成ブロック用の駆動回路素子と送風機用の駆動回路素子とは同じ実装基板に実装されていてもよいし、別々の実装基板に実装されていてもよい。
【００４０】
また、第２の電源・制御ブロック２１０を構成する複数の回路素子には、表示用光源２３０を発光させるための電力を生成する電源回路を構成する電源回路素子と、表示用光源２３０の照明態様を制御する制御回路を構成する制御回路素子とが含まれている。
【００４１】
イオン生成ブロック２２０は、イオンを生成するためのイオン生成器である。本実施の形態では、イオン生成ブロック２２０は、ナノイーを生成する。具体的には、イオン生成ブロック２２０は、水補給レスでナノイーを生成する。この場合、イオン生成ブロック２２０は、例えば、針状放電極と、針状放電極に高電圧（例えば、約６０００Ｖ）を印加する高電圧発生回路と、針状放電極を冷却するペルチェ素子とを有するイオン発生部を有する。針状放電極は、ペルチェ素子のペルチェ効果によって冷却されることにより結露する。高電圧発生回路が針状放電極に結露した空気中の水分に高電圧を印加することにより、霧化したナノイーを発生させることができる。イオン生成ブロックにより生成されたイオン（ナノイー）は、筐体１０に設けられたスリット１１から筐体１０に外部に放出する。本実施の形態では、イオン生成ブロック２２０の前段に送風機２４０が配置されているので、送風機２４０によって取り込まれた外気とともり筐体１０の外部に吹き出される。
【００４２】
このように構成されるイオン生成ブロック２２０は、第２の電源・制御ブロック２１０から供給される電力によって動作する。つまり、第２の電源・制御ブロック２１０からイオン生成ブロック２２０に電力が供給されることでイオンが生成される。
【００４３】
また、イオン生成ブロック２２０は、壁スイッチ２を１・２スイッチ操作することで駆動状態を制御することができる。本実施の形態では、ユーザが壁スイッチ２を１・２スイッチ操作することでイオン生成ブロック２２０のオンオフが制御される。例えば、ユーザが壁スイッチ２を１・２スイッチ操作すると、第１の電源・制御ブロック１１０と第２の電源・制御ブロック２１０との間の電力供給経路に設けられたトライアックのオンオフが制御され、第１の電源・制御ブロック１１０から第２の電源・制御ブロック２１０への電力を停止させたり再開したりできる。これにより、イオン生成ブロック２２０の運転を停止させたり再開させたりできる。
【００４４】
表示用光源２３０は、イオン生成ブロック２２０の動作状態を示す動作表示態様で発光する。つまり、表示用光源２３０は、イオン生成ブロック２２０の動作状態を示すインジケータである。
【００４５】
表示用光源２３０としては、例えば、砲弾型ＬＥＤ素子を用いることができるが、これに限るものではなく、ＳＭＤ（Ｓｕｒｆａｃｅ  Ｍｏｕｎｔ  Ｄｅｖｉｃｅ）タイプのパッケージ型のＬＥＤ素子を用いてもよいし、小型のＣＯＢタイプのＬＥＤモジュールを用いてもよい。表示用光源２３０は、例えば青色又は緑色等の有色光を発するが、これに限るものではない。また、照明用光源１２０は、一定の光出力で単色光を発するものであるが、調光及び調色の制御が可能な構造であってもよい。表示用光源２３０は、筐体１０内の所定の位置に固定される。
【００４６】
表示用光源２３０は、照明装置１によるイオンの放出有無が分かるように、第２の電源・制御ブロック２１０から供給される電力によって発光する。例えば、表示用光源２３０は、イオン放出ユニット２００が正常に動作している場合、第２の電源・制御ブロック２１０から供給される電力によって発光する。一例として、表示用光源２３０が砲弾型青色ＬＥＤ素子である場合、表示用光源２３０は、一定の光出力の青色光で発する。このように表示用光源２３０が発光することで、ユーザはイオン放出ユニット２００からイオンが放出されていることが分かる。
【００４７】
送風機２４０は、イオン生成ブロック２２０で生成されたイオンを送風する送風ファンである。具体的には、送風機２４０は、イオン生成ブロック２２０で生成されたイオンを照明装置１の外部に拡散させるための気流を発生させるためのものである。つまり、送風機２４０は、イオン生成ブロック２２０で生成されたイオンの拡散を送風によってアシストする。送風機２４０は、例えば、ケーシングとケーシング内に配置された羽根車と羽根車を回転させるモータとを有しており、照明装置１の外部の空気（外気）を吸い込んで吐き出す。送風機２４０を動作させると、筐体１０に設けられた吸込口から外気が筐体１０内に吸引され、イオン生成ブロック２２０で生成されたイオンとともに、吸引された外気が筐体１０のスリット１１から筐体１０の外部に放出される。
【００４８】
また、送風機２４０は、壁スイッチ２を１・２スイッチ操作することで駆動状態を制御することができる。本実施の形態では、ユーザが壁スイッチ２を１・２スイッチ操作すると、上記のように、第１の電源・制御ブロック１１０と第２の電源・制御ブロック２１０との間の電力供給経路に設けられたトライアックのオンオフが制御され、第１の電源・制御ブロック１１０から第２の電源・制御ブロック２１０への電力を停止させたり再開したりできる。これにより、送風機２４０の運転を停止させたり再開させたりできる。
【００４９】
また、筐体１０内には、送風機２４０により吸引される外気が通過するフィルタ４００が設けられている。フィルタ４００は、例えば、筐体１０の吸込口と送風機２４０との間に配置される。フィルタ４００に外気を通過させることで、外気に含まれる埃や塵等をフィルタ４００に吸着させて取り除くことができる。
【００５０】
端子台３００は、電線等によって商用電源に接続されている。また、端子台３００と商用電源とは、壁スイッチ２を介して電気的に接続されている。つまり、照明装置１と商用電源とは、壁スイッチ２を介して電気的に接続されている。
【００５１】
ここで、本実施の形態における照明装置１の動作について、比較例の照明装置の動作とともに、図３及び図４を用いて説明する。図３は、比較例の照明装置の動作の一例を説明するためのタイミングチャートである。図４は、実施の形態に係る照明装置１の動作の一例を説明するためのタイミングチャートである。なお、比較例の照明装置と本実施の形態における照明装置１とは制御及び動作が異なり、比較例の照明装置の構成は図２に示される本実施の形態における照明装置１の構成と同じである。したがって、比較例の照明装置の動作の説明については、図２を参照しながら説明する。
【００５２】
比較例の照明装置及び本実施の形態に係る照明装置は、いずれも壁スイッチ２により動作する。
【００５３】
比較例の照明装置では、例えば、図３に示すように、時刻Ｔ１で図２に示される壁スイッチ２が押下されることで壁スイッチ２がＯＮとなり、照明用光源１２０が発光して照明装置１から照明光が照射されるとともに、イオン生成ブロック２２０でイオンが生成されて照明装置１からイオンが放出される。
【００５４】
具体的には、図２に示すように、ユーザが壁スイッチ２を押すと、商用電源から照明装置１の端子台３００に交流電力が供給される。端子台３００に供給された交流電力は、第１の電源・制御ブロック１１０のＨ端子およびＮ端子に入力される。第１の電源・制御ブロック１１０は、端子台３００からの交流電力を直流電力に変換し、照明用光源１２０に出力する。これにより、照明用光源１２０が発光する。
【００５５】
そして、図３に示すように、照明用光源１２０への電力供給を開始してから一定時間（例えば１０分）が経過した場合、第１の電源・制御ブロック１１０は照明用光源１２０への電力供給を停止させる。つまり、照明用光源１２０の発光が一定時間経過した場合、照明用光源１２０を自動的に消灯させる。
【００５６】
なお、照明装置１は、ユーザが壁スイッチ２を押さなくても、照明センサブロック１３０で所定の検知信号を検知することでも照明光を照射する。例えば、検知信号として照明センサブロック１３０の照度センサにより照明装置１の周辺の照度が所定の閾値よりも低い値の信号が検知される状態で、さらに検知信号として照明センサブロック１３０の人感センサにより照明装置１の周辺に人が存在することが検知された場合、第１の電源・制御ブロック１１０によって照明用光源１２０が自動的に発光する。つまり、図３に示すように、ユーザが壁スイッチ２を押下することなく、人感センサによって照明用光源１２０のオンオフ制御を自動的に行う。
【００５７】
一方、時刻Ｔ１でユーザが壁スイッチ２を押すと、端子台３００と第１の電源・制御ブロック１１０のＬＯＤ端子とを介して第２の電源・制御ブロック２１０にも交流電力が供給される。第２の電源・制御ブロック２１０は、イオン生成ブロック２２０、送風機２４０及び表示用光源２３０への電力供給を行う。これにより、時刻Ｔ１でイオン生成ブロック２２０及び送風機２４０が駆動してイオン放出ユニット２００からイオンが放出されると同時に、表示用光源２３０が発光する。表示用光源２３０が発光することで、ユーザはイオン放出ユニット２００からイオンが放出されていることが分かる。
【００５８】
そして、図３に示すように、イオン生成ブロック２２０、送風機２４０及び表示用光源２３０への電力供給を開始してから一定時間（例えば１０時間）は、イオン放出ユニット２００がオン状態となってイオンを放出し続けるが、一定時間経過した後（時刻Ｔ１から時刻Ｔ２になった時）、第２の電源・制御ブロック２１０は、イオン生成ブロック２２０、送風機２４０及び表示用光源２３０への電力供給を停止させる。これにより、時刻Ｔ２でイオン放出ユニット２００からのイオン放出を自動的に停止させるとともに、表示用光源２３０を自動的に消灯させる。
【００５９】
その後、図３に示すように、イオン生成ブロック２２０及び送風機２４０への電力供給を停止させてから一定時間（例えば１４時間）経過した後はイオンによる脱臭や除菌等の効果がなくなってくる。そこで、イオンによって所望の効果を得るために、例えば時刻Ｔ１においてイオン生成ブロック２２０及び送風機２４０の電力供給を再開させて、再びイオンの放出を行う。この電力供給の再開は、壁スイッチ２とは関係なく（つまり、ユーザの意思とは関係なく）自動的に行われる。
【００６０】
このように、イオンによって所望の効果を得るには一定の時間を要するので、比較例の照明装置では、図３に示すように、イオン放出ユニット２００によるイオンの放出を一定時間ごとに繰り返し行っている。
【００６１】
しかしながら、このような比較例の照明装置の動作では、イオン放出ユニット２００の運転によって送風機２４０が長時間駆動することになる。このため、送風機２４０の動作音が長時間発生することになり、耳障りな騒音として感じる場合がある。例えば、送風機２４０のモータ音や羽根車の回転音等の動作音が騒音として感じる場合がある。
【００６２】
そこで、本実施の形態における照明装置１では、壁スイッチ２を１・２スイッチ操作することで、送風機２４０の駆動を停止させている。例えば、図４に示すように、時刻Ｔ３で、ユーザが壁スイッチ２を１・２スイッチ操作すると、第２の電源・制御ブロックからイオン生成ブロック２２０及び送風機２４０への給電が停止して、イオン生成ブロック２２０及び送風機２４０の駆動が停止する。これにより、送風機２４０の動作音の発生を停止させることができるので、送風機２４０による耳障りな騒音を解消させることができる。また、本実施の形態では、イオン生成ブロック２２０の駆動も停止させているので、イオン生成ブロック２２０で耳障りな騒音が生じている場合には、その騒音も解消させることができる。
【００６３】
なお、図４に示すように、再びイオンの放出を再開させるには、再び壁スイッチ２の１・２スイッチ操作を行えばよい（時刻Ｔ１’）。これにより、第２の電源・制御ブロックからイオン生成ブロック２２０及び送風機２４０への電力供給が再開され、イオン生成ブロック２２０及び送風機２４０を駆動させることができる。これにより、イオン放出ユニット２００からイオンが放出される。
【００６４】
その後は、図４に示すように、上記のように、一定時間経過後（時刻Ｔ１’から時刻Ｔ２’になった時）、第２の電源・制御ブロック２１０からイオン生成ブロック２２０及び送風機２４０への電力供給を停止させることで自動的にイオンの放出を停止させてもよいし、壁スイッチ２を１・２スイッチ操作を行うことで強制的にイオン放出ユニット２００の駆動を停止させてイオンの放出を停止してもよい。
【００６５】
以上、本実施の形態に係る照明装置１は、壁スイッチ２により動作する照明装置であって、第１の電源・制御ブロック１１０と、第１の電源・制御ブロック１１０から供給される電力によって発光する照明用光源１２０と、第２の電源・制御ブロック２１０と、第２の電源・制御ブロック２００から供給される電力によって動作するイオン生成ブロック２２０と、イオン生成ブロック２２０で生成されたイオンを送風する送風機２４０とを備える。そして、送風機２４０は、壁スイッチ２を１・２スイッチ操作することで駆動状態が制御される。
【００６６】
このように、本実施の形態における照明装置１では、壁スイッチ２を１・２スイッチ操作することによって送風機２４０の駆動状態を制御することができるので、ユーザは照明装置１内の送風機２４０の駆動制御を簡便に行うことができる。つまり、特殊な外部スイッチやリモコン等を用いることなく、送風機２４０の駆動制御を行うことができる。
【００６７】
しかも、壁スイッチ２を１・２スイッチ操作することによって送風機２４０の駆動状態を制御することで、ユーザが送風機２４０の動作音を耳障りな騒音に感じる場合には、壁スイッチ２を１・２スイッチ操作して送風機２４０の動作音が小さくなるように送風機２４０を適切に駆動制御すればい。
【００６８】
本実施の形態における照明装置１では、壁スイッチ２を１・２スイッチ操作することで送風機２４０のオンオフが制御される。
【００６９】
これにより、ユーザが送風機２４０の動作音を耳障りな騒音に感じる場合には、壁スイッチ２を１・２スイッチ操作して送風機２４０を強制的にオフ（停止）させればよい。これにより、ユーザの意思により、送風機２４０の動作音による耳障りな騒音を解消させることができる。
【００７０】
また、本実施の形態における照明装置１において、第２の電源・制御ブロック２１０の電力供給源は、第１の電源・制御ブロック１１０である。
【００７１】
この構成により、イオン放出ユニット２００の電源供給の構成を簡素化することができる。しかも、この構成により、イオン生成用の第２の電源・制御ブロック２１０と照明用の第１の電源・制御ブロック１１０とで電源を共用化できるので、ノイズ、サージ及び突入電流等の対策回路を第１の電源・制御ブロック１１０に実装することで、後段側の第２の電源・制御ブロック２１０での上記対策回路を簡素化できる。つまり、第１の電源・制御ブロック１１０と第２の電源・制御ブロック２１０とで上記対策回路を共用化できる。
【００７２】
また、本実施の形態における照明装置１において、第２の電源・制御ブロック２１０から第１の電源・制御ブロック１１０に電力を供給する際に、ディレー時間が設定されている。
【００７３】
この構成により、イオン放出ユニット２００側のリセットが可能となるので、誤動作を防止することができる。
【００７４】
また、本実施の形態における照明装置１において、イオン生成ブロック２２０又は送風機２４０は、１・２スイッチ操作における壁スイッチ２を押すタイミング又は壁スイッチ２を押す回数に応じて制御されるとよい。
【００７５】
これにより、ユーザは１・２スイッチ操作を行うだけで、例えば、イオン生成ブロック２２０によるイオンの生成量を調整したり送風機２４０の回転スピードを制御したりして、イオン放出ユニット２００から放出されるイオンの量及びイオンの拡散領域を調整することができる。
【００７６】
（変形例）
以上、本発明に係る照明装置について、実施の形態に基づいて説明したが、本発明は、上記実施の形態に限定されるものではない。
【００７７】
例えば、上記実施の形態において、イオン放出ユニット２００は、イオンとしてナノイーを放出したが、これに限るものではなく、プラズマイオン等のその他のイオンを放出してもよいし、ナノイーとプラズマイオン等との複数種のイオンを同時に又は交互に放出してもよい。
【００７８】
また、上記実施の形態において、照明用光源１２０はＣＯＢタイプのＬＥＤモジュールとしたが、これに限るものではない。例えば、照明用光源として、ＳＭＤタイプのＬＥＤモジュールを用いてもよい。ＳＭＤタイプのＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤタイプのＬＥＤ素子）を、１個又は複数個、基板に実装した構成である。
【００７９】
また、上記実施の形態において、照明用光源１２０は、青色ＬＥＤチップと黄色蛍光体とによって白色光を放出するＢ−Ｙタイプの白色ＬＥＤ光源としたが、これに限らない。例えば、赤色蛍光体及び緑色蛍光体を含有する蛍光体含有樹脂を用いて、これと青色ＬＥＤチップと組み合わせることによりに白色光を放出するように構成してもよい。また、演色性を高める目的で、黄色蛍光体に加えて、さらに赤色蛍光体や緑色蛍光体を混ぜても構わない。また、青色以外の色を発するＬＥＤチップを用いてもよく、例えば、青色ＬＥＤチップが放出する青色光よりも波長が短い紫外光を放出する紫外ＬＥＤチップを用いて、主に紫外光により励起されて青色光、赤色光及び緑色光を放出する青色蛍光体、緑色蛍光体及び赤色蛍光体によって白色光を放出するように構成してもよい。
【００８０】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００８１】
１  照明装置
２  壁スイッチ
１１０  第１の電源・制御ブロック
１２０  照明用光源
２１０  第２の電源・制御ブロック
２２０  イオン生成ブロック
２４０  送風機
【図１】
2018055949.tif 000003
【図２】
2018055949.tif 000004
【図３】
2018055949.tif 000005
【図４】
2018055949.tif 000006